(57)【要約】【課題】分割電極構造を有する光送信器の消費電力を低減する。【解決手段】光変調部１１は、光導波路１１１及び１１２の上に複数の位相変調領域が形成され、入力光ＩＮを変調した光信号ＯＵＴを出力する。駆動回路１２は、複数の位相変調領域のそれぞれと接続されたドライバ１２１〜１２７を有し、ドライバ１２１〜１２７のそれぞれから対応する位相変調領域に入力デジタル信号Ｄ［２：０］に応じた駆動信号を出力する。判定回路１３は、要求伝送容量情報ＩＮＦに応じて、ドライバ１２１〜１２７のうち活性化するドライバを判定する。ドライバ制御回路１４は、判定回路１３での判定結果で指定されたドライバを活性化し、活性化したドライバ以外のドライバの電源を遮断する。多値信号生成回路１５は、活性化したドライバのそれぞれに要求伝送容量情報ＩＮＦに基づいて入力デジタル信号Ｄ［２：０］を多値変調するための信号を出力する。【選択図】図８
2014122965.tif 000002
【特許請求の範囲】
【請求項１】
光導波路の上に複数の位相変調領域が形成され、入力光を変調した光信号を出力する光変調部と、
前記複数の位相変調領域のそれぞれと接続された複数のドライバを有し、前記複数のドライバのそれぞれから対応する位相変調領域に入力デジタル信号に応じた駆動信号を出力する駆動回路と、
外部から与えられる伝送容量を示す情報に応じて、前記複数のドライバのうち活性化するドライバを判定する判定回路と、
前記判定回路での判定結果で指定されたドライバを活性化し、活性化したドライバ以外のドライバの電源を遮断するドライバ制御回路と、
前記活性化したドライバのそれぞれに、前記伝送容量を示す情報に基づいて、前記入力デジタル信号を多値変調するための信号を出力する多値信号生成回路と、を備える、
光変調器。
【請求項２】
前記判定回路は、
前記伝送容量と、活性化するドライバと、の対応付けが定義されたテーブルを備え、
前記伝送容量を示す情報を前記テーブルと照合して、前記活性化するドライバの数を判定する、
請求項１に記載の光変調器。
【請求項３】
前記判定回路は、前記伝送容量を示す情報が示す伝送容量が小さいほど、活性化するドライバの数を少なくする、
請求項１又は２に記載の光変調器。
【請求項４】
前記光変調部は、２つに分波された前記入力光がそれぞれ２本の前記光導波路を伝搬し、前記２つに分波された前記入力光の両方又は一方を位相変調した後に合波して、前記光信号を生成する、
請求項１乃至３のいずれか一項に記載の光変調器。
【請求項５】
前記光変調部は、
前記入力光を第１の入力光と第２の入力光に分波する第１の光合分波器と、
前記第１の入力光が伝搬する第１の光導波路と、
前記第２の入力光が伝搬する第２の光導波路と、
前記第１の光導波路から出力される光と前記第２の光導波路から出力される光とを合波して、前記光信号を出力する第２の光合分波器と、
前記第１の光導波路上に形成された複数の第１の位相変調領域と、
前記第２の光導波路上に形成された複数の第２の位相変調領域と、を備える、
請求項４に記載の光変調器。
【請求項６】
前記光変調部は、
ｍ（ｍは、３以上の整数）個の前記第１の位相変調領域と、
ｍ個の前記第２の位相変調領域と、を備え、
前記駆動回路は、
ｍ個の前記ドライバを備え、
ｍ個の前記ドライバのそれぞれは、ｍ個の前記第１の位相変調領域のいずれか、及び、ｍ個の前記第２の位相変調領域のいずれかに、他のドライバと重複することなく接続される、
請求項５に記載の光変調器。
【請求項７】
光導波路の上に複数の位相変調領域が形成され、入力光を変調した光信号を出力する光変調部と、
前記入力光を出力する光源と、
前記複数の位相変調領域のそれぞれと接続された複数のドライバを有し、前記複数のドライバのそれぞれから対応する位相変調領域に入力デジタル信号に応じた駆動信号を出力する駆動回路と、
外部から与えられる伝送容量を示す情報に応じて、前記複数のドライバのうち活性化するドライバを判定する判定回路と、
前記判定回路での判定結果で指定されたドライバを活性化し、活性化したドライバ以外のドライバの電源を遮断するドライバ制御回路と、
前記活性化したドライバのそれぞれに、前記伝送容量を示す情報に基づいて、前記入力デジタル信号を多値変調するための信号を出力する多値信号生成回路と、を備える、
光送信器。
【請求項８】
光信号を出力する光送信器と、
前記光信号を受信する光受信器と、を備え、
前記光送信器は、
光導波路の上に複数の位相変調領域が形成され、入力光を変調した光信号を出力する光変調部と、
前記入力光を出力する光源と、
前記複数の位相変調領域のそれぞれと接続された複数のドライバを有し、前記複数のドライバのそれぞれから対応する位相変調領域に入力デジタル信号に応じた駆動信号を出力する駆動回路と、
外部から与えられる伝送容量を示す情報に応じて、前記複数のドライバのうち活性化するドライバを判定する判定回路と、
前記判定回路での判定結果で指定されたドライバを活性化し、活性化したドライバ以外のドライバの電源を遮断するドライバ制御回路と、
前記活性化したドライバのそれぞれに、前記伝送容量を示す情報に基づいて、前記入力デジタル信号を多値変調するための信号を出力する多値信号生成回路と、を備える、
光送受信システム。
【請求項９】
伝送容量を示す情報に基づいて、光導波路を伝搬する入力光を変調する前記光導波路上に設けられた複数の位相変調領域のそれぞれと接続され、対応する前記位相変調領域に入力デジタル信号に応じた駆動信号を出力する複数のドライバのうち、活性化するドライバを判定し、
前記判定により指定されたドライバを活性化し、活性化したドライバ以外のドライバの電源を遮断し、
前記活性化したドライバのそれぞれに、前記伝送容量を示す情報に基づいて、前記入力デジタル信号を多値変調するための信号を出力する、
光変調器の制御方法。
【発明の詳細な説明】
【技術分野】
【０００１】
本発明は光変調器、光送信器、光送受信システム及び光変調器の制御方法に関する。
【背景技術】
【０００２】
インターネットや映像配信等の広帯域マルチメディア通信サービスの爆発的な需要増加に伴い、幹線系やメトロ系ではより長距離大容量かつ高信頼な高密度波長多重光ファイバ通信システムの導入が進んでいる。また、加入者系においても、光ファイバアクセスサービスの普及が急速に進んでいる。こうした光ファイバを使用した通信システムでは、光伝送路である光ファイバの敷設コスト低減や、光ファイバ１本当たりの伝送帯域利用効率を高めることが重要である。このため、複数の異なる波長の光信号を多重化して伝送する、波長多重技術が広く用いられている。
【０００３】
波長多重光ファイバ通信システム向け光送信器には、高速光変調が可能で、その光信号波長依存性が小さく、さらに長距離信号伝送時の受信光波形劣化を招く不要な光位相変調成分（変調方式が光強度変調方式の場合）または光強度変調成分（変調方式が光位相変調方式の場合）が極力抑えられた光変調器が要求される。こうした用途には、光導波路型マッハツェンダ（以下ＭＺ：Ｍａｃｈ−Ｚｅｈｎｄｅｒ）干渉計と同様の光導波路型の光位相変調器を組み込んだ、ＭＺ光強度変調器が実用的である。
【０００４】
また、１波長チャンネル当りの伝送容量拡大にあたっては、課題となるスペクトル利用効率および光ファイバの波長分散や偏波モード分散に対する耐性の観点から、通常の２値光強度変調方式に比べて光変調スペクトル帯域幅がより狭い、多値光変調信号方式が有利である。この多値光変調信号方式は、特に今後の需要増加が見込まれる４０Ｇｂ／ｓを越える幹線系光ファイバ通信システムでは主流になると考えられる。現在、こうした用途向けに、上述のＭＺ光強度変調器２個と光合分波器を組み合わせたモノリシック集積多値ＩＱ光変調器が開発されている。
【０００５】
こうした光変調器を用いて、特に変調電気信号の周波数が１ＧＨｚを超えるような高周波領域で高速光変調を行う場合には、光変調器の光位相変調器領域に設けられた電極の長さに対して、変調電気信号の伝搬波長は無視できない程度にまで短くなる。このため、光位相変調器に電場を印加する手段である電極構造の電位分布は、光信号伝搬軸方向で均一と見なすことはできない。よって、光変調特性を正しく見積もるためには、この電極自体を分布定数線路として、かつ、光位相変調器領域を伝搬する変調電気信号を進行波として取り扱う必要がある。この場合、被変調光信号と変調電気信号との実効的な相互作用長をできるだけ稼ぐために、被変調光信号の位相速度ｖｏと変調電気信号の位相速度ｖｍとを可能な限り近づける（位相速度整合させる）工夫を施した、いわゆる進行波型電極構造が必要となる。
【０００６】
このような進行波型電極構造と多値光変調信号方式とを実現するための分割電極構造を有する光変調器モジュールがすでに提案されている（特許文献１〜４）。また、分割電極のそれぞれにおける被変調光信号の位相変化を多値制御することができる光変調器モジュールが提案されている。この光変調器モジュールは、ディジタル信号を入力することにより、進行波構造動作に要する位相速度整合及びインピーダンス整合を維持しつつ任意の多値光変調信号を発生させることが可能な、小型、広帯域及び低駆動電圧の光変調器モジュールである。
【０００７】
他にも、消費電力の削減を目的とした送信側光通信装置が提案されている（特許文献５）。この送信側光通信装置は、１つの駆動回路により複数のＬＥＤ（Light Emitting Diode）を駆動している。そして、駆動回路の一部の駆動機能を停止させ、かつ、スイッチを開放して駆動するＬＥＤの数を制限する。これにより、消費電力を削減できる。
【０００８】
また、２値信号を印可して複数の光源のそれぞれの発光量が異なるように駆動することにより、多値の光信号を生成する光伝送装置が提案されている（特許文献６）。
【先行技術文献】
【特許文献】
【０００９】
【特許文献１】特開平７−１３１１２号公報
【特許文献２】特開平５−２８９０３３号公報
【特許文献３】特開平５−２５７１０２号公報
【特許文献４】国際公開第２０１１／０４３０７９号公報
【特許文献５】特開平９−１３０３３５号公報
【特許文献６】特開２００４−１１２２３５号公報
【発明の概要】
【発明が解決しようとする課題】
【００１０】
ところが発明者は、上述の光変調器モジュールでは、以下に示す問題点があることを見出した。上述の分割電極構造においては、通常、分割電極を駆動するドライバが複数必要である。光変調動作時には、これら複数のドライバに電源を供給する必要が有る。そのため、複数のドライバでの消費電力が大きくなってしまう。特に、出力信号の多値度が増えると、分割電極の数が増え、それに伴いドライバの数も増える。この場合、消費電力の増大は特に顕著となる。
【００１１】
本発明は上記の課題に鑑みてなされたものであり、本発明の目的は、分割電極構造を有する光送信器の消費電力を低減することである。
【課題を解決するための手段】
【００１２】
本発明の一態様である光変調器は、光導波路の上に複数の位相変調領域が形成され、入力光を変調した光信号を出力する光変調部と、前記複数の位相変調領域のそれぞれと接続された複数のドライバを有し、前記複数のドライバのそれぞれから対応する位相変調領域に入力デジタル信号に応じた駆動信号を出力する駆動回路と、外部から与えられる伝送容量を示す情報に応じて、前記複数のドライバのうち活性化するドライバを判定する判定回路と、前記判定回路での判定結果で指定されたドライバを活性化し、活性化したドライバ以外のドライバの電源を遮断するドライバ制御回路と、前記活性化したドライバのそれぞれに、前記伝送容量を示す情報に基づいて、前記入力デジタル信号を多値変調するための信号を出力する多値信号生成回路と、を備えるものである。
【００１３】
本発明の一態様である光送信器は、光導波路の上に複数の位相変調領域が形成され、入力光を変調した光信号を出力する光変調部と、前記入力光を出力する光源と、前記複数の位相変調領域のそれぞれと接続された複数のドライバを有し、前記複数のドライバのそれぞれから対応する位相変調領域に入力デジタル信号に応じた駆動信号を出力する駆動回路と、外部から与えられる伝送容量を示す情報に応じて、前記複数のドライバのうち活性化するドライバを判定する判定回路と、前記判定回路での判定結果で指定されたドライバを活性化し、活性化したドライバ以外のドライバの電源を遮断するドライバ制御回路と、前記活性化したドライバのそれぞれに、前記伝送容量を示す情報に基づいて、前記入力デジタル信号を多値変調するための信号を出力する多値信号生成回路と、を備えるものである。
【００１４】
本発明の一態様である光送受信システムは、光信号を出力する光送信器と、前記光信号を受信する光受信器と、を備え、前記光送信器は、光導波路の上に複数の位相変調領域が形成され、入力光を変調した光信号を出力する光変調部と、前記入力光を出力する光源と、前記複数の位相変調領域のそれぞれと接続された複数のドライバを有し、前記複数のドライバのそれぞれから対応する位相変調領域に入力デジタル信号に応じた駆動信号を出力する駆動回路と、外部から与えられる伝送容量を示す情報に応じて、前記複数のドライバのうち活性化するドライバを判定する判定回路と、前記判定回路での判定結果で指定されたドライバを活性化し、活性化したドライバ以外のドライバの電源を遮断するドライバ制御回路と、前記活性化したドライバのそれぞれに、前記伝送容量を示す情報に基づいて、前記入力デジタル信号を多値変調するための信号を出力する多値信号生成回路と、を備えるものである。
【００１５】
本発明の一態様である光変調器の制御方法は、伝送容量を示す情報に基づいて、光導波路上に設けられ、前記光導波路を伝搬する入力光を変調する複数の位相変調領域のそれぞれと接続され、対応する前記位相変調領域に入力デジタル信号に応じた駆動信号を出力する複数のドライバのうち、活性化するドライバを判定し、前記判定により指定されたドライバを活性化し、活性化したドライバ以外のドライバの電源を遮断し、前記活性化したドライバのそれぞれに、前記伝送容量を示す情報に基づいて、前記入力デジタル信号を多値変調するための信号を出力するものである。
【発明の効果】
【００１６】
本発明によれば、分割電極構造を有する光送信器の消費電力を低減することができる。
【図面の簡単な説明】
【００１７】
【図１】一般的な分割電極構造の多値の光送信器６０００の構成を模式的に示すブロック図である。
【図２】光変調器６００の構成を模式的に示す平面図である。
【図３Ａ】光合分波器６１３の構成を模式的に示す図である。
【図３Ｂ】光合分波器６１４の構成を模式的に示す図である。
【図４】光変調器６００の動作を示す動作表である。
【図５】光変調器６００での光の伝搬態様を模式的に示す図である。
【図６Ａ】位相変調領域ＰＭ６１＿１〜ＰＭ６１＿７及び位相変調領域ＰＭ６２＿１〜ＰＭ６２＿７により位相変調を受けなかった場合の光Ｌ１及びＬ２を示すコンスタレーション図である。
【図６Ｂ】光変調器６００において入力デジタル信号の２進コードが「０００」である場合の光Ｌ１及びＬ２を示すコンスタレーション図である。
【図６Ｃ】光変調器６００における光Ｌ１及びＬ２を示すコンスタレーション図である。
【図７】実施の形態１にかかる光送信器１０００の構成を模式的に示すブロック図である。
【図８】実施の形態１にかかる光変調器１００の構成を模式的に示す平面図である。
【図９】一般的な光送受信システム１１００の構成を模式的に示すブロック図である。
【図１０】活性化されたドライバの数と光信号の強度を示すグラフである。
【図１１】光変調器１００の活性化ドライバの決定方法を示すフローチャートである。
【図１２】光変調器１００における活性化ドライバ及び非活性化ドライバを示す平面図である。
【図１３】光変調器１００における活性化ドライバ及び非活性化ドライバを示す平面図である。
【図１４】実施の形態２にかかる光変調器２００の構成を模式的に示す平面図である。
【図１５】光変調器２００の活性化ドライバの決定方法を示すフローチャートである。
【発明を実施するための形態】
【００１８】
以下、図面を参照して本発明の実施の形態について説明する。各図面においては、同一要素には同一の符号が付されており、必要に応じて重複説明は省略される。
【００１９】
以下の実施の形態にかかる光送信器の構成及び動作を理解するための前提として、一般的な分割電極構造の多値の光送信器６０００について説明する。光送信器６０００は、多値変調光送信器であるが、ここでは説明の簡略化のため、光送信器６０００を３ビットの光送信器として説明する。図１は、一般的な分割電極構造の多値の光送信器６０００の構成を模式的に示すブロック図である。光送信器６０００は、光源６００１及び光変調器６００を有する。
【００２０】
光源６００１は、典型的にはレーザダイオードが用いられ、例えばＣＷ（Continuous Wave）光６００２を光変調器６００に出力する。光変調器６００は、３ビットの光変調器である。光変調器６００は、３ビットのデジタル信号である入力デジタル信号Ｄ［２：０］に応じて、入力されたＣＷ光６００２を変調して３ビットの光信号６００３を出力する。
【００２１】
続いて、光変調器６００について説明する。図２は、光変調器６００の構成を模式的に示す平面図である。光変調器６００は、光変調部６１、デコード部６２及び駆動回路６３を有する。
【００２２】
光変調部６１は、入力光ＩＮを変調した光信号ＯＵＴを出力する。なお、入力光ＩＮは、図１のＣＷ光６００２に対応する。光信号ＯＵＴは、図１の光信号６００３に対応する。光変調部６１は、光導波路６１１及び６１２、光合分波器６１３及び６１４、位相変調領域ＰＭ６１＿１〜ＰＭ６１＿７、ＰＭ６２＿１〜ＰＭ６２＿７を有する。光導波路６１１及び６１２は並列に配置される。
【００２３】
光導波路６１１及び６１２の光入力（入力光ＩＮ）側には、光合分波器６１３が挿入される。光合分波器６１３の入力側では、入力ポートＰ１に入力光ＩＮが入力され、入力ポートＰ２は無入力とする。光合分波器６１３の出力側では、光導波路６１１は出力ポートＰ３と接続され、光導波路６１２は出力ポートＰ４と接続される。
【００２４】
図３Ａは、光合分波器６１３の構成を模式的に示す図である。光合分波器６１３では、入力ポートＰ１に入射した光は、出力ポートＰ３及びＰ４に伝搬する。ただし、入力ポートＰ１から出力ポートＰ４に伝搬する光は、入力ポートＰ１から出力ポートＰ３に伝搬する光に比べて、位相が９０°遅延する。また、入力ポートＰ２に入射した光は、出力ポートＰ３及びＰ４に伝搬する。ただし、入力ポートＰ２から出力ポートＰ３に伝搬する光は、入力ポートＰ２から出力ポートＰ４に伝搬する光に比べて、位相が９０°遅延する。
【００２５】
光導波路６１１及び６１２の光信号出力（光信号ＯＵＴ）側には、光合分波器６１４が挿入される。光合分波器６１４の入力側では、光導波路６１１は入力ポートＰ５と接続され、光導波路６１２は入力ポートＰ６と接続される。光合分波器６１４の出力側では、出力ポートＰ７から光信号ＯＵＴが出力される。
【００２６】
図３Ｂは、光合分波器６１４の構成を模式的に示す図である。光合分波器６１４は、光合分波器６１３と同様の構成を有する。入力ポートＰ５及びＰ６は、それぞれ光合分波器６１３の入力ポートＰ１及びＰ２に対応する。出力ポートＰ７及びＰ８は、それぞれ光合分波器６１３の出力ポートＰ３及びＰ４に対応する。入力ポートＰ５に入射した光は、出力ポートＰ７及びＰ８に伝搬する。ただし、入力ポートＰ５から出力ポートＰ８に伝搬する光は、入力ポートＰ５から出力ポートＰ７に伝搬する光に比べて、位相が９０°遅延する。また、入力ポートＰ６に入射した光は、出力ポートＰ７及びＰ８に伝搬する。ただし、入力ポートＰ６から出力ポートＰ７に伝搬する光は、入力ポートＰ６から出力ポートＰ８に伝搬する光に比べて、位相が９０°遅延する。
【００２７】
光合分波器６１３と光合分波器６１４との間の光導波路６１１には、位相変調領域ＰＭ６１＿１〜ＰＭ６１＿７が配置される。光合分波器６１３と光合分波器６１４との間の光導波路６１２には、位相変調領域ＰＭ６２＿１〜ＰＭ６２＿７が配置される。
【００２８】
ここで、位相変調領域とは、光導波路上に形成された電極を有する領域である。そして、電極に電気信号、例えば電圧信号が印加されることにより、電極の下の光導波路の実効屈折率が変化する。その結果、位相変調領域の光導波路の実質的な光路長を変化させることができる。これにより、位相変調領域は、光導波路を伝搬する光信号の位相を変化させることができる。そして、２本の光導波路６１１及び６１２の間を伝搬する光信号間に位相差を与えることで、光信号を変調することができる。すなわち、光変調部６１は、２本のアームと電極分割構造を有する、多値のマッハツェンダ光変調器を構成する。
【００２９】
デコード部６２は、３ビットの入力デジタル信号Ｄ[２：０]をデコードし、例えば多ビットの信号Ｄ１〜Ｄ７を駆動回路６３に出力する。
【００３０】
駆動回路６３は、２値のドライバＤＲ６１〜ＤＲ６７を有する。ドライバＤＲ６１〜ＤＲ６７のそれぞれには、信号Ｄ１〜Ｄ７が供給される。ドライバＤＲ６１〜ＤＲ６７は、信号Ｄ１〜Ｄ７に応じて一対の差動出力信号を出力する。このとき、ドライバＤＲ６１〜ＤＲ６７から出力される差動出力信号の正相出力信号のそれぞれは、位相変調領域ＰＭ６１＿１〜ＰＭ６１＿７に出力される。ドライバＤＲ６１〜ＤＲ６７から出力される差動出力信号の逆相出力信号のそれぞれは、位相変調領域ＰＭ６２＿１〜ＰＭ６２＿７に出力される。
【００３１】
ここで、ドライバＤＲ６１〜ＤＲ６７が出力する差動出力信号について説明する。ドライバＤＲ６１〜ＤＲ６７は、上述のように、２値出力（０、１）のドライバである。つまり、ドライバＤＲ６１〜ＤＲ６７は、信号Ｄ１〜Ｄ７の値に応じて、正相出力信号として「０」又は「１」を出力する。
【００３２】
一方、ドライバＤＲ６１〜ＤＲ６７は、正相出力信号を反転させた信号を、逆相出力信号として出力する。つまり、ドライバＤＲ６１〜ＤＲ６７は、信号Ｄ１〜Ｄ７の値に応じて、逆相出力信号として、「１」又は「０」を出力する。
【００３３】
図４は、光変調器６００の動作を示す動作表である。ドライバＤＲ６１は、入力デジタル信号Ｄ[２：０]が「０００」の場合には、正相出力信号として「０」、逆相出力信号として「１」を出力する。ドライバＤＲ６１は、入力デジタル信号Ｄ[２：０]が「００１」以上である場合には、正相出力信号として「１」、逆相出力信号として「０」を出力する。
【００３４】
ドライバＤＲ６２は、入力デジタル信号Ｄ[２：０]が「００１」以下の場合には、正相出力信号として「０」、逆相出力信号として「１」を出力する。ドライバＤＲ６２は、入力デジタル信号Ｄ[２：０]が「０１０」以上である場合には、正相出力信号として「１」、逆相出力信号として「０」を出力する。
【００３５】
ドライバＤＲ６３は、入力デジタル信号Ｄ[２：０]が「０１０」以下の場合には、正相出力信号として「０」、逆相出力信号として「１」を出力する。ドライバＤＲ６３は、入力デジタル信号Ｄ[２：０]が「０１１」以上である場合には、正相出力信号として「１」、逆相出力信号として「０」を出力する。
【００３６】
ドライバＤＲ６４は、入力デジタル信号Ｄ[２：０]が「０１１」以下の場合には、正相出力信号として「０」、逆相出力信号として「１」を出力する。ドライバＤＲ６４は、入力デジタル信号Ｄ[２：０]が「１００」以上である場合には、正相出力信号として「１」、逆相出力信号として「０」を出力する。
【００３７】
ドライバＤＲ６５は、入力デジタル信号Ｄ[２：０]が「１００」以下の場合には、正相出力信号として「０」、逆相出力信号として「１」を出力する。ドライバＤＲ６５は、入力デジタル信号Ｄ[２：０]が「１０１」以上である場合には、正相出力信号として「１」、逆相出力信号として「０」を出力する。
【００３８】
ドライバＤＲ６６は、入力デジタル信号Ｄ[２：０]が「１０１」以下の場合には、正相出力信号として「０」、逆相出力信号として「１」を出力する。ドライバＤＲ６６は、入力デジタル信号Ｄ[２：０]が「１１０」以上である場合には、正相出力信号として「１」、逆相出力信号として「０」を出力する。
【００３９】
ドライバＤＲ６７は、入力デジタル信号Ｄ[２：０]が「１１０」以下の場合には、正相出力信号として「０」、逆相出力信号として「１」を出力する。ドライバＤＲ６７は、入力デジタル信号Ｄ[２：０]が「１１１」である場合には、正相出力信号として「１」、逆相出力信号として「０」を出力する。
【００４０】
ここで、光変調器６００の位相変調動作について説明する。図５は、光変調器６００での光の伝搬態様を模式的に示す図である。この例では、図５に示すように、光合分波器６１３の入力ポートＰ１に入力光ＩＮが入力する。そのため、出力ポートＰ３から出力される光に比べて、出力ポートＰ４から出力される光は、位相が９０°遅れる。その後、出力ポートＰ３から出力された光は、位相変調領域ＰＭ６１＿１〜ＰＭ６１＿７を通過し、光合分波器６１４の入力ポートＰ５に到達する。入力ポートＰ５に到達した光は、そのまま出力ポートＰ７に到達する。一方、出力ポートＰ４から出力された光は、位相変調領域ＰＭ６２＿１〜ＰＭ６２＿７を通過し、光合分波器６１４の入力ポートＰ６に到達する。入力ポートＰ６に到達した光は、さらに位相が９０°遅延して、出力ポートＰ７に到達する。
【００４１】
つまり、位相変調領域ＰＭ６１＿１〜ＰＭ６１＿７及び位相変調領域ＰＭ６２＿１〜ＰＭ６２＿７により位相変調を受けなかった場合でも、入力ポートＰ６から出力ポートＰ７に到達する光Ｌ２は、入力ポートＰ５から出力ポートＰ７に到達する光Ｌ１に比べて、位相が１８０°遅延することとなる。
【００４２】
図６Ａは、位相変調領域ＰＭ６１＿１〜ＰＭ６１＿７及び位相変調領域ＰＭ６２＿１〜ＰＭ６２＿７により位相変調を受けなかった場合の光Ｌ１及びＬ２を示すコンスタレーション図である。上述したように、入力ポートＰ６から出力ポートＰ７に到達する光Ｌ２は、入力ポートＰ５から出力ポートＰ７に到達する光Ｌ１に比べて、位相が１８０°遅延する。
【００４３】
これに対し、光変調器６００では、位相変調領域ＰＭ６１＿１〜ＰＭ６１＿７には正相出力信号が入力し、位相変調領域ＰＭ６２＿１〜ＰＭ６２＿７には逆相出力信号が入力する。これにより、入力ポートＰ６から出力ポートＰ７に到達する光Ｌ２の位相遅れを補償する。
【００４４】
図６Ｂは、光変調器６００において入力デジタル信号Ｄ[２：０]の２進コードが「０００」である場合の光Ｌ１及びＬ２を示すコンスタレーション図である。例えば、入力デジタル信号Ｄ[２：０]の２進コードが「１１１」であれば、位相変調領域ＰＭ６１＿１〜ＰＭ６１＿７には正相出力信号である「１」が入力される。一方、位相変調領域ＰＭ６２＿１〜ＰＭ６２＿７には逆相出力信号である「０」が入力される。これにより、位相変調領域ＰＭ６２＿１〜ＰＭ６２＿７を通過する光は、更に位相が１８０°遅れる。
【００４５】
すなわち、入力ポートＰ６から出力ポートＰ７に到達する光Ｌ２には、元々の１８０°位相遅れに加えて、位相変調領域ＰＭ６２＿１〜ＰＭ６２＿７による位相遅れである１８０°が加算される。これにより、入力ポートＰ６から出力ポートＰ７に到達する光Ｌ２には、３６０°の位相遅れが生じるため、入力ポートＰ５から出力ポートＰ７に到達する光Ｌ１に対する位相遅れが実質的に解消される。
【００４６】
図６Ｃは、光変調器６００における光Ｌ１及びＬ２を示すコンスタレーション図である。図６Ｃに示すように、差動出力信号を用いることで、入力デジタル信号Ｄ［２：０］の変化に応じて、入力ポートＰ１から出力ポートＰ４及び入力ポートＰ６から出力ポートＰ７に到達する光Ｌ２の位相遅れを補償しつつ、Ｌ１／Ｌ２の各々がＲｅ軸に対して対照的に光の位相が変化することとなり、光送信器における光Ｄ／Ａ変換が可能となる。これにより、図４の動作表に示すように、入力デジタル信号Ｄ[３：０]の値に応じて、光Ｌ１の位相変調量を０〜７Δθ、光Ｌ２の位相変調量を０〜−７Δθの８段階に変化させることができる。
【００４７】
なお、図６Ｂ及び図６Ｃでは、入力デジタル信号Ｄ[２：０]の２進コードが「０００」又は「１１１」のときに、光Ｌ１及びＬ２の位置が一致していないが、これは、図面を見やするために過ぎない。つまり、入力デジタル信号Ｄ[２：０]の２進コードが「０００」又は「１１１」のときに、光Ｌ１及びＬ２の位置が一致していてもよい。また、ここでは、位相変調領域で変調される位相変化量は、入力デジタル信号に応じて０〜１８０度変化する場合について説明したが、これに限ったことではない。
【００４８】
実施の形態１
まず、本発明の実施の形態１にかかる光送信器１０００について説明する。光送信器１０００は、８値（すなわち３ビット）の変調動作を行う光送信器である。図７は、実施の形態１にかかる光送信器１０００の構成を模式的に示すブロック図である。光送信器１０００は、光源１００１及び光変調器１００を有する。
【００４９】
光源１００１は、典型的にはレーザダイオードが用いられ、例えばＣＷ（Continuous Wave）光１００２を光変調器１００に出力する。光変調器１００は、２値の光変調器である。光変調器１００は、８値（３ビット）のデジタル信号である入力デジタル信号Ｄ［２：０］に応じて、入力されたＣＷ光１００２を変調して８値の光信号１００３を出力する。
【００５０】
続いて、光変調器１００について説明する。光変調器１００は、上述の光変調器６００と同様に、分割電極構造を有する。図８は、実施の形態１にかかる光変調器１００の構成を模式的に示す平面図である。光変調器１００は、光変調部１１、駆動回路１２、判定回路１３、ドライバ制御回路１４及び多値信号生成回路１５を有する。
【００５１】
光変調部１１は、光導波路１１１及び１１２、光合分波器１１３及び１１４、位相変調領域ＰＭ１＿１〜ＰＭ１＿７、ＰＭ２＿１〜ＰＭ２＿７を有する。光導波路１１１及び１１２は、それぞれ第１及び第２の光導波路に対応する。光合分波器１１３及び１１４は、それぞれ第１及び第２の光合分波器に対応する。位相変調領域ＰＭ１＿１〜ＰＭ１＿７は、第１の位相変調領域に対応する。位相変調領域ＰＭ２＿１〜ＰＭ２＿７は、第２の位相変調領域に対応する。光変調部１１は、２本の光導波路（光導波路１１１及び１１２）上に分割電極（位相変調領域ＰＭ１＿１〜ＰＭ１＿７、ＰＭ２＿１〜ＰＭ２＿７）が配置された、いわゆるマッハツェンダ光共振器構造を有している。
【００５２】
光導波路１１１及び１１２は、並列に配置される。光導波路１１１及び１１２の光信号入力（入力光ＩＮ）側には、光合分波器１１３が挿入される。光合分波器１１３は、上述の光合分波器６１３と同様の構成を有する。光合分波器１１３の入力側では、入力ポートＰ１に入力光ＩＮが入力され、入力ポートＰ２は無入力とする。光合分波器１１３の出力側では、光導波路１１１は出力ポートＰ３と接続され、光導波路１１２は出力ポートＰ４と接続される。なお、入力光ＩＮは、図７のＣＷ光１００２に対応する。
【００５３】
光導波路１１１及び１１２の光信号出力（光信号ＯＵＴ）側には、光合分波器１１４が挿入される。光合分波器１１４は、上述の光合分波器６１４と同様の構成を有する。光合分波器１１４の入力側では、光導波路１１１は入力ポートＰ５と接続され、光導波路１１２は入力ポートＰ６と接続される。光合分波器１１４の出力側では、出力ポートＰ７から光信号ＯＵＴが出力される。なお、光信号ＯＵＴは、図７の光信号１００３に対応する。
【００５４】
光合分波器１１３と光合分波器１１４との間の光導波路１１１には、位相変調領域ＰＭ１＿１〜ＰＭ１＿７が配置される。光合分波器１１３と光合分波器１１４との間の光導波路１１２には、位相変調領域ＰＭ２＿１〜ＰＭ２＿７が配置される。
【００５５】
ここで、位相変調領域とは、光導波路上に形成された１つの電極（分割電極）を有する領域である。そして、電極に電気信号、例えば電圧信号が印加されることにより、電極の下の光導波路の実効屈折率が変化する。その結果、位相変調領域の光導波路の実質的な光路長を変化させることができる。これにより、位相変調領域は、光導波路を伝搬する光信号の位相を変化させることができる。そして、２本の光導波路１１１及び１１２の間を伝搬する光信号間に位相差を与えることで、光信号を変調することができる。すなわち、光変調部１１は、２本のアームと電極分割構造を有する、多値のマッハツェンダ光変調器を構成する。
【００５６】
駆動回路１２は、ドライバ１２１〜１２７を有する。ドライバ１２１〜１２７は、それぞれ対象となる位相変調領域に、多値信号生成回路１５から出力される信号に応じて、差動信号を駆動信号として出力する。具体的には、ドライバ１２１は、位相変調領域ＰＭ１＿１に正相駆動信号を出力し、位相変調領域ＰＭ２＿１に逆相駆動信号を出力する。ドライバ１２２は、位相変調領域ＰＭ１＿２に正相駆動信号を出力し、位相変調領域ＰＭ２＿２に逆相駆動信号を出力する。ドライバ１２３は、位相変調領域ＰＭ１＿３に正相駆動信号を出力し、位相変調領域ＰＭ２＿３に逆相駆動信号を出力する。ドライバ１２４は、位相変調領域ＰＭ１＿４に正相駆動信号を出力し、位相変調領域ＰＭ２＿４に逆相駆動信号を出力する。ドライバ１２５は、位相変調領域ＰＭ１＿５に正相駆動信号を出力し、位相変調領域ＰＭ２＿５に逆相駆動信号を出力する。ドライバ１２６は、位相変調領域ＰＭ１＿６に正相駆動信号を出力し、位相変調領域ＰＭ２＿６に逆相駆動信号を出力する。ドライバ１２７は、位相変調領域ＰＭ１＿７に正相駆動信号を出力し、位相変調領域ＰＭ２＿７に逆相駆動信号を出力する。
【００５７】
判定回路１３は、外部から入力される要求伝送容量情報ＩＮＦから、ドライバ１２１〜１２７のうち、活性化するものの個数を判定する。判定回路１３は、活性化するドライバを指定する信号ＳＩＧ１をドライバ制御回路１４及び多値信号生成回路１５に出力する。
【００５８】
ドライバ制御回路１４は、信号ＳＩＧ１により指定されたドライバを活性化する。そして、ドライバ制御回路１４は、信号ＳＩＧ１により指定されなかったドライバへの電源供給を遮断する。
【００５９】
多値信号生成回路１５は、３ビットのデジタル信号である入力デジタル信号Ｄ［２：０］をデコードして信号Ｄ１〜Ｄ７を生成する。そして、多値信号生成回路１５は、信号ＳＩＧ１により指定されたドライバに信号を出力する。
【００６０】
続いて、光変調器１００の動作について説明する。ここで、光変調器１００の動作を理解するための前提として、光送信器と光受信器とを有する一般的な光送受信システムについて説明する。図９は、一般的な光送受信システム１１００の構成を模式的に示すブロック図である。光送受信システム１１００は、光送信器１１０１、光受信器１１０２、光伝送路１１０３を有する。光送信器１１０１と光受信器１１０２とが光伝送路１１０３により接続される。光送信器１１０１は、光伝送路１１０３を介して、光受信器１１０２に光信号を送信する。光伝送路１１０３は、例えば光ファイバである。
【００６１】
光送受信システム１１００では、伝送容量を大きくするため、光伝送路１１０３を介して、多値の光信号を伝送する。本実施の形態においては、光変調器１００は、８値の光信号を出力することができる。ところが、光通信のトラフィック量は変動があるので、常に最大の伝送容量が必要とされるわけではない。従って、本実施の形態では、光変調器１００は、伝送容量の変動に応じて、出力する光信号の多値度を変更する。換言すれば、要求される伝送容量が小さいほど、活性化されるドライバの数は少なくなり、多値度が小さくなる。以下、光変調器１００の多値度変更方法について説明する。
【００６２】
光変調器１００は、光通信のトラフィック量が多く大きな伝送容量が求められる場合には、７つのドライバ１２１〜１２７を用い、光信号の出力を８段階に変化させる。また、光通信のトラフィック量が少なく伝送容量が小さくてもよい場合には、例えばドライバ１２１のみを用い、光信号の出力を２段階に変化させることが可能である。
【００６３】
つまり、光変調器１００は、要求される伝送容量に応じて、用いるドライバの数を変化させる。具体的には、光変調器１００は、活性化したドライバにて光信号の変調を行い、変調に用いないドライバを非活性化して電源供給を停止する。
【００６４】
以下、ドライバの活性化とは、ドライバに電源を供給し、ドライバから位相変調領域に駆動信号を出力させることを指す。ドライバの非活性化とは、ドライバの電源供給を遮断することを指す。よって、非活性化されたドライバと接続された位相変調領域は、光信号の変調には寄与しない。
【００６５】
図１０は、活性化されたドライバの数と光信号の強度を示すグラフである。図１０では、光変調器１００での光信号の最大出力を、Ｐｍａｘとしている。この場合、活性化されたドライバの数に応じて、１／７Ｐｍａｘ刻みで０〜Ｐｍａｘの範囲で光信号の出力を変化させることができる。
【００６６】
図１１は、光変調器１００の活性化ドライバの決定方法を示すフローチャートである。
ステップＳ１０１
まず、判定回路１３に、外部から要求伝送容量情報ＩＮＦが入力される。要求伝送容量情報ＩＮＦは、光受信器や光送受信システムから出力されてもよいし、ユーザから設定情報として与えられてもよい。
【００６７】
ステップＳ１０２
判定回路１３は、要求伝送容量情報ＩＮＦに応じて、ドライバ１２１〜１２７のうち、活性化するものの個数を判定する。そして、活性化するドライバを指定する信号ＳＩＧ１をドライバ制御回路１４及び多値信号生成回路１５に出力する。
【００６８】
ステップＳ１０３
ドライバ制御回路１４は、信号ＳＩＧ１で指定されたドライバを活性化し、それ以外のドライバへの電源供給を遮断する。
【００６９】
ステップＳ１０４
ドライバ制御回路１４は、信号ＳＩＧ１で指定されたドライバにのみ信号を出力する。
【００７０】
続いて、光変調器１００における活性化ドライバ及び非活性化ドライバの選択について説明する。図１２は、光変調器１００における活性化ドライバ及び非活性化ドライバを示す平面図である。ここでは、例えば４つのドライバを活性化し、３つのドライバを非活性化する場合について説明する。なお、図１２では、活性化されたドライバについては「ＯＮ」、非活性化されたドライバについては「ＯＦＦ」を表示している。図１２に示すように、光変調器１００は、ドライバ１２１〜１２４が活性化され、ドライバ１２５〜１２７が非活性化される。
【００７１】
光変調器１００における活性化ドライバ及び非活性化ドライバの選択の別の例について説明する。図１３は、光変調器１００における活性化ドライバ及び非活性化ドライバを示す平面図である。ここでは、例えば４つのドライバを活性化し、３つのドライバを非活性化する場合について説明する。なお、図１３では、活性化されたドライバについては「ＯＮ」、非活性化されたドライバについては「ＯＦＦ」を表示している。図１３に示すように、光変調器１００は、ドライバ１２１、１２２、１２４及び１２７が活性化され、ドライバ１２３、１２５及び１２６が非活性化される。
【００７２】
すなわち、例えば４つのドライバを活性化し、３つのドライバを非活性化する場合、ドライバ１２１〜１２７から適宜４つのドライバを活性化し、残りの３つのドライバを非活性化すればよいことが理解できる。従って、活性化ドライバ及び非活性化ドライバは、ドライバ１２１〜１２７から自由に選択することが可能である。
【００７３】
本構成によれば、要求される伝送容量に対応可能な範囲で、最低限の数のドライバのみを駆動させつつ、光受信器に適正な多値度を有する光信号を送信することができる。これにより、使用していないドライバへの電源供給を遮断し、ドライバで消費される電力を削減することができる。一般にドライバは比較的大きな回路規模を有し、その消費電力は大きい。そのため、適宜ドライバへの電源供給を停止することで、容易に消費電力を低減することができる。
【００７４】
実施の形態２
次に、本発明の実施の形態２にかかる光変調器２００について説明する。光変調器２００は、実施の形態１にかかる光変調器１００の具体例である。図１４は、実施の形態２にかかる光変調器２００の構成を模式的に示す平面図である。光変調器２００は、判定回路１３が、ルックアップテーブル（ＬＵＴ：Look Up Table）１３１を有している。
【００７５】
ＬＵＴ１３１は、要求伝送容量情報ＩＮＦと活性化するドライバとの対応付けがされた情報が格納されている。ＬＵＴ１３１は、例えば判定回路１３に設けられた記憶装置に格納される。ＬＵＴ１３１は、予め判定回路１３に格納されてもよいし、光受信器や光送受信システムから入力されてもよいし、ユーザから設定情報として与えられてもよい。
【００７６】
図１５は、光変調器２００の光信号の強度の決定方法を示すフローチャートである。
ステップＳ２０１
ステップＳ２０１は、図１１のステップＳ１０１と同様であるので、説明を省略する。
【００７７】
ステップＳ２０２
判定回路１３は、要求伝送容量情報ＩＮＦとＬＵＴ１３１とを照合し、ドライバ１２１〜１２３のうち、活性化するものの個数を判定する。そして、活性化するドライバを指定する信号ＳＩＧ１をドライバ制御回路１４に出力する。
【００７８】
ステップＳ２０３及びＳ２０４
ステップＳ２０３及びＳ２０４は、それぞれ図１１のステップＳ１０３及びＳ１０４と同様であるので、説明を省略する。
【００７９】
本構成によれば、実施の形態１と同様に、要求される伝送容量に対応可能な範囲で、最低限の数のドライバのみを駆動させつつ、光受信器に適正な多値度を有する光信号を送信することができる。これにより、使用していないドライバへの電源供給を遮断し、ドライバで消費される電力を削減することができる。
【００８０】
その他の実施の形態
なお、本発明は上記実施の形態に限られたものではなく、趣旨を逸脱しない範囲で適宜変更することが可能である。例えば、上述の実施の形態において、光信号の多値度変更は、導入時の初期設定として行ってもよいし、光送受信システムの運用中の微調整として所定のタイミング、頻度で行ってもよい。
【００８１】
上述の実施の形態において、非活性化するドライバを適宜ローテーションすることも可能である。複数設けられているドライバの非活性化の頻度を平均化することで、駆動回路全体としてみた場合の寿命を延伸することが可能である。
【００８２】
また、上述の実施の形態では、ドライバ制御回路によりドライバを活性化／非活性化する例について説明したが、これは例示に過ぎない。例えば、ドライバが低電流源を必要としないＣＭＯＳトランジスタで構成される回路である場合には、多値信号生成回路から出力される信号により、ドライバを非活性化することが可能である。この場合は、上述のドライバ制御回路を省略することができる。
【００８３】
上述の実施の形態にかかる光変調器は、例えばパルス振幅変調（ＰＡＭ：Pulse-Amplitude Modulation）、直角位相振幅変調（ＱＡＭ：Qadrature Amplitude Modulation）、位相偏移変調（ＰＳＫ：Phase-Shift Keying）などの変調方式に適用することが可能である。
【００８４】
上述の実施の形態では、８値の光変調器について説明したが、これは例示に過ぎない。すなわち、位相変調領域の数を増減することで、８値以外の多値光変調器とすることが可能である。すなわち、光変調部の１本の導波路上に３個以上の位相変調領域を設け、３個以上のドライバを設けることで、３値以上の多値光変調器を構成することができる。
【符号の説明】
【００８５】
１１、６１  光変調部
１２、６３  駆動回路
１３  判定回路
１４  ドライバ制御回路
１５  多値信号生成回路
６２  デコード部
１００、２００  光変調器
１１１、１１２、６１１、６１２  光導波路
１１３、１１４、６１３、６１４  光合分波器
１２１〜１２７、ＤＲ６１〜ＤＲ６７  ドライバ
１３１  ルックアップテーブル（ＬＵＴ）
１０００、１１０１、６０００  光送信器
１００１、６００１  光源
１００２、６００２  ＣＷ光
１００３、６００３  光信号
１１００、１２００  光送受信システム
１１０２  光受信器
１１０３  光伝送路
１１０４  光パルス
ＩＮ  入力光
ＩＮＦ  要求伝送容量情報
ＯＵＴ    光信号
Ｐ１、Ｐ２、Ｐ５、Ｐ６  入力ポート
Ｐ３、Ｐ４、Ｐ７、Ｐ８  出力ポート
ＰＭ１＿１〜ＰＭ１＿７、ＰＭ２＿１〜ＰＭ２＿７、ＰＭ６１＿１〜ＰＭ６１＿７、ＰＭ６２＿１〜ＰＭ６２＿４  位相変調領域
【図１】
2014122965.tif 000003
【図２】
2014122965.tif 000004
【図３Ａ】
2014122965.tif 000005
【図３Ｂ】
2014122965.tif 000006
【図４】
2014122965.tif 000007
【図５】
2014122965.tif 000008
【図６Ａ】
2014122965.tif 000009
【図６Ｂ】
2014122965.tif 000010
【図６Ｃ】
2014122965.tif 000011
【図７】
2014122965.tif 000012
【図８】
2014122965.tif 000013
【図９】
2014122965.tif 000014
【図１０】
2014122965.tif 000015
【図１１】
2014122965.tif 000016
【図１２】
2014122965.tif 000017
【図１３】
2014122965.tif 000018
【図１４】
2014122965.tif 000019
【図１５】
2014122965.tif 000020